(57)【要約】【課題】打球を飛ばす飛球線の方向を確認しつつ、両足の前後位置と、軸足の飛球方向位置とを確認して、スタンスを決めることができるようにしたゴルフ練習用具の提供を図る。【解決手段】縦方向に配置される縦指示体４と、横方向方向に伸びるように配置される第１横指示体１、第２横指示体２及び第３横指示体３とを備える。各横指示体１〜３は、縦指示体４に対して、回動可能且つ摺動可能に取り付けられている。第１横指示体１は、打球を飛ばす飛球線の方向を示す。第２横指示体２は、両足の縦方向の位置を示す。第３横指示体は、軸足の縦指示体１からの横方向位置を示す。縦指示体４の前にゴルフボールを置き、両足の爪先側を第２横指示体２の後ろに置く。軸足を第３横指示体３の飛球方向の先端側に置く。【選択図】図１
2013248095.tif 000002
【特許請求の範囲】
【請求項１】
前後方向に伸びるように縦方向に配置される縦指示体と、前記縦方向と交わる方向に伸びるように配置される第１横指示体、第２横指示体及び第３横指示体とを備え、
前記第１横指示体、前記第２横指示体及び前記第３横指示体のそれぞれは、前記縦指示体に対して、回動可能に取り付けられ、且つ、前記第１横指示体、前記第２横指示体及び前記第３横指示体のそれぞれは、互いに縦方向に間隔を置いて配置され、
前記第１横指示体は、打球を飛ばす飛球線の方向を示すものであり、
前記第２横指示体は、両足の前記縦方向の位置を示すものであり、
前記第３横指示体は、軸足の前記縦指示体からの横方向位置を示すものであり、
前記縦指示体の前にゴルフボールを置き、前記縦指示体を挟んで、両足の爪先側を前記第２横指示体の後ろに置くと共に、軸足を前記第３横指示体の飛球方向の先端側に置くことによって、打球を飛ばす飛球線の方向を確認しつつ、両足の前後位置と、軸足のゴルフボールからの飛球方向の距離を確認して、スタンスを決めることができるようにしたことを特徴とするゴルフ練習用具。
【請求項２】
前記第１横指示体、前記第２横指示体及び前記第３横指示体のそれぞれは、回動部材を介して、前記縦指示体に対して、回動可能に取り付けられ、
前記第１横指示体、前記第２横指示体及び前記第３横指示体のそれぞれは、前記回動部材に対して、スライド可能であり、且つ、前記縦指示体は、前記回動部材に対して、スライド可能であることを特徴とする請求項１記載のゴルフ練習用具。
【請求項３】
前記回動部材は、互いに回動可能に組み合わされた第１部材と第２部材とを備え、
前記第１横指示体、前記第２横指示体及び前記第３横指示体のそれぞれは、前記第１部材に対して、スライド可能であり、且つ、前記縦指示体は、前記第２部材に対して、スライド可能であることを特徴とする請求項２記載のゴルフ練習用具。
【請求項４】
前記回動部材は、前記第１部材と前記第２部材との回動について、一定角度毎に、回動抵抗を付与するクリック構造を備えたものであることを特徴とする請求項３記載のゴルフ練習用具。
【請求項５】
前記回動部材は、円周状に多数の山谷の歯が一定角度毎に設けられた歯車部と、前記歯と係合する爪部とを備え、
歯車部は、前記第１部材と、一体に形成されるか、若しくは、別体であっても共に回動するものであり、
前記爪部は、前記第２部材と、一体に形成されるか、若しくは、別体であっても共に回動するものであり、
前記歯車部と前記爪部との少なくとも何れか一方が弾性変形することにより、一定角度毎に、回動抵抗を発生しながら、前記第１部材と前記第２部材とが回動するものであり、
前記爪部は、第１爪部と第２爪部との少なくとも２つの爪部を備え、
前記第１爪部が前記歯の谷に位置するときに前記第２爪部が前記歯の山に位置するように、前記第１爪部と第２爪部が前記歯と係合するときの回動角度を変位させることによって、前記歯の谷と谷との間隔よりも小さな間隔で前記抵抗を発生させるようにしたことを特徴とする請求項４記載のゴルフ練習用具。
【請求項６】
前記歯車部は、前記第１爪部と係合する第１歯車部と、前記第２爪部と係合する第２歯車部との少なくとも２つの歯車部を備え、
前記第１爪部が前記第１歯車部の前記歯の谷に位置するときに前記第２爪部が前記第２歯車部の前記歯の山に位置するように、前記少なくとも２つの歯車部の周方向の位置を変位させたことを特徴とする請求項５記載のゴルフ練習用具。
【請求項７】
前記第１部材と前記第２部材との間に中部材を備え、
前記第１部材と前記第２部材とは互いに同一形状の部材であって、前記中部材を介して、接続されており、
前記第１部材と前記第２部材は、前記歯車部を、内歯車状に形成したものであり、
前記中部材は、前記第１部材に回動不能に接続され、前記第２部材に回動可能に接続され、前記中部材に前記第２部材の前記歯車部のみに係合する前記爪部が形成されたものであることを特徴とする請求項６記載のゴルフ練習用具。
【発明の詳細な説明】
【技術分野】
【０００１】
本願発明は、ゴルフ練習用具に関するものである。
【背景技術】
【０００２】
従来より、ゴルフの打撃練習を行なう際に、スタンスの足の位置を指示する練習ゴルフ用具として、下記の特許文献に記載のものが提案されている。
【０００３】
特許文献１の練習ゴルフ用具は、前後方向に伸びるように縦方向に配置される縦指示体と、前記縦方向と交わる方向に伸びるように配置される１本の横指示体を備えたものである。これらの練習ゴルフ用具は、縦指示体の前方にボールを置いて、横指示体の後ろに両足の爪先を置くことによって、両足の前後位置を確認して、スタンスを決めることができるようにしたものである。ところが、打球を飛ばす飛球線の方向を示すことができず、また、軸足の飛球方向位置（軸足が飛球方向においてボールからどの程度離れているか）の確認もできない。なお、本発明において、軸足とは、左右の足のうち、飛球方向の前方に位置する足を言い、右打ちの人の場合には左足、左打ちの人の場合には右足を言う。
【０００４】
特許文献２〜５の練習ゴルフ用具は、前後方向に伸びるように縦方向に配置される縦指示体と、前記縦方向と交わる方向に伸びるように配置される２本の横指示体を備えたものである。これらの練習ゴルフ用具は、縦指示体の前方にボールを置いて、後の横指示体の後ろに両足の爪先を置くことによって、両足の前後位置を確認して、スタンスを決めることができるようにしたことに加えて、前の横支持体によって、打球を飛ばす飛球線の方向を示すこともできる。ところが、軸足の飛球方向位置は確認できない。
【０００５】
特許文献６、７の練習ゴルフ用具は、前後方向に伸びるように縦方向に配置される２本の縦指示体と、前記縦方向と交わる方向に伸びるように配置される２本の横指示体を備えたものである。これらの練習ゴルフ用具は、後の横指示体の前に両足の爪先を置くことによって、両足の前後位置を確認して、スタンスを決めることができるようにしたことに加えて、前の横支持体によって、打球を飛ばす飛球線の方向を示すこともできる。ところが、軸足の飛球方向位置の確認はできない。
【０００６】
特許文献８、９、１０の練習ゴルフ用具は、両足の爪先の位置を決める横支持体に、左右の足の方向を示す短い２本の支持体を後方又は前方に向けて回動可能に設けたものである。これによって、２本の短い支持体に両足を沿わせて、あるいは、これらを目標にスタンスを決めることで、軸足の飛球方向位置の確認が可能である。ところが、短い２本の支持体を後方に向けて設けて、２本の短い支持体に両足を沿わせた場合、足の位置は正確に決まるが、打球動作を行う時に、その２本の短い支持体が邪魔になり、思い切ったスイングをすることができない。また、２本の短い支持体は、横支持体に回動可能に軸止さられているため、スイングの際に足が短い支持体に接触すると、梃子の原理によって、その軸止位置には大きな力として作用する。そのため、足が短い支持体に少し触れるだけで、簡単にその軸止角度が変わってしまい、接触する度に、その調整が必要となる。
【先行技術文献】
【特許文献】
【０００７】
【特許文献１】特開平１０−９４６２９号公報
【特許文献２】特開昭５８−１１６３７３号公報
【特許文献３】実開平５−４８９７８号公報
【特許文献４】実開平１−８４６７８号公報
【特許文献５】実開平１−１２６２７５号公報
【特許文献６】特開平７−１００２３７号公報
【特許文献７】実開平３−７０１７８号公報
【特許文献８】特開平８−７１１９３号公報
【特許文献９】特開昭６１−３４８４５号公報
【特許文献１０】特開昭６１−４０４３０号公報
【発明の概要】
【発明が解決しようとする課題】
【０００８】
本発明は、打球を飛ばす飛球線の方向を確認しつつ、両足の前後位置と、軸足の飛球方向位置（飛球方向における軸足のボールからの位置）とを確認して、スタンスを決めることができるようにしたゴルフ練習用具の提供を目的とする。特に、軸足の飛球方向位置について、スイング中にも使用者の動きを阻害するおそれを低減することができるようにしたゴルフ練習用具の提供を課題とする。
【課題を解決するための手段】
【０００９】
本発明は、前後方向に伸びるように縦方向に配置される縦指示体と、前記縦方向と交わる方向に伸びるように配置される第１横指示体、第２横指示体及び第３横指示体とを備え、前記第１横指示体、前記第２横指示体及び前記第３横指示体のそれぞれは、前記縦指示体に対して、回動可能に取り付けられ、且つ、前記第１横指示体、前記第２横指示体及び前記第３横指示体のそれぞれは、互いに縦方向に間隔を置いて配置され、前記第１横指示体は、打球を飛ばす飛球線の方向を示すものであり、前記第２横指示体は、両足の前記縦方向の位置を示すものであり、前記第３横指示体は、軸足の縦指示体からの横方向位置を示すものであり、前記縦指示体の前にゴルフボールを置き、前記縦指示体を挟んで、両足の爪先側を前記第２横指示体の後ろに置くと共に、軸足を前記第３横指示体の飛球方向の先端側に置くことによって、打球を飛ばす飛球線の方向を確認しつつ、両足の前後位置と、軸足のゴルフボールからの飛球方向の距離を確認して、スタンスを決めることができるようにしたことを特徴とするゴルフ練習用具を提供する。
【００１０】
前記第１横指示体、前記第２横指示体及び前記第３横指示体のそれぞれは、回動部材を介して、前記縦指示体に対して、回動可能に取り付けられ、前記第１横指示体、前記第２横指示体及び前記第３横指示体のそれぞれは、前記回動部材に対して、スライド可能であり、且つ、前記縦指示体は、前記回動部材に対して、スライド可能なものとして実施することができ、これによって、使用者の体格やゴルフクラブの種類や長さに応じて、各指示体を調整することができる。
【００１１】
前記回動部材は、互いに回動可能に組み合わされた第１部材と第２部材とを備え、前記第１横指示体、前記第２横指示体及び前記第３横指示体のそれぞれは、前記第１部材に対して、スライド可能であり、且つ、前記縦指示体は、前記第２部材に対して、スライド可能であるものとして実施することができる。この回動部材を用いることで、上記のスライドと回動とを円滑に実現できる。
【００１２】
前記回動部材は、前記第１部材と前記第２部材との回動について、一定角度毎に、回動抵抗を付与するクリック構造を備えたものとすることで、使用者が行なう角度設定を、一定角度毎に正確に行なうことができる。
【００１３】
さらに詳しくは、前記回動部材は、円周状に多数の山谷の歯が一定角度毎に設けられた歯車部と、前記歯と係合する爪部とを備え、歯車部は、前記第１部材と、一体に形成されるか、若しくは、別体であっても共に回動するものであり、前記爪部は、前記第２部材と、一体に形成されるか、若しくは、別体であっても共に回動するものであり、前記歯車部と前記爪部との少なくとも何れか一方が弾性変形することにより、一定角度毎に、回動抵抗を発生しながら、前記第１部材と前記第２部材とが回動するものとできる。そして、前記爪部は、第１爪部と第２爪部との少なくとも２つの爪部を備え、前記第１爪部が前記歯の谷に位置するときに前記第２爪部が前記歯の山に位置するように、前記第１爪部と第２爪部が前記歯と係合するときの回動角度を変位させることによって、前記歯の谷と谷との間隔よりも小さな間隔で前記抵抗を発生させるようにすることができる。このような回動部材を用いることによって、歯の大きさを適切なクリック機能や強度を維持するために必要な大きさに確保しつつ、歯の谷と谷との間隔よりも小さな間隔で前記抵抗を発生させることができるため、全体の大きさを大きくすることなく、より細かい間隔でのクリック機能を発揮させることができる。
【００１４】
また、前記歯車部は、前記第１爪部と係合する第１歯車部と、前記第２爪部と係合する第２歯車部との少なくとも２つの歯車部を備え、前記第１爪部が前記第１歯車部の前記歯の谷に位置するときに前記第２爪部が前記第２歯車部の前記歯の山に位置するように、前記少なくとも２つの歯車部の周方向の位置を変位させることで、第１は歯車部と第２歯車部とを軸方向に異なる位置で設けた場合に比して、軸方向の大きさを小さくすることができる。
【００１５】
また、前記第１部材と前記第２部材との間に中部材を備え、前記第１部材と前記第２部材とは互いに同一形状の部材であって、前記中部材を介して、接続されており、前記第１部材と前記第２部材は、前記歯車部を、内歯車状に形成されており、前記中部材は、前記第１部材に回動不能に接続され、前記第２部材に回動可能に接続され、前記中部材に前記第２部材の前記歯車部のみに係合する前記爪部が形成されたものとすることによって、第１部材と前記第２部材とを共通の金型で成型でき、部品の共用化を図ることができ、実質的な部品点数を少なくすることができる。
【発明の効果】
【００１６】
本発明のゴルフ練習用具は、打球を飛ばす飛球線の方向を確認しつつ、両足の前後位置と、軸足の飛球方向位置（飛球方向における軸足のボールからの位置）とを確認して、スタンスを決めることができる。特に、軸足の飛球方向位置について、スイング中にも使用者の動きを阻害するおそれを低減することができたものである。
【図面の簡単な説明】
【００１７】
【図１】本発明の実施の形態に係るゴルフ練習用具を示すもので、（Ａ）は平面図、（Ｂ）は正面図、（Ｃ）は側面図である。
【図２】同ゴルフ練習用具をオープンスタンス用に調整した平面図である。
【図３】同ゴルフ練習用具をクローズドスタンス用に調整した平面図である。
【図４】図１のＡ−Ｂ−Ｃ−Ｄ線の拡大平面図である。
【図５】図１のＡ−Ｂ−Ｃ−Ｄ線の拡大底面図である。
【図６】（Ａ）は図１のＡ−Ｂ−Ｃ−Ｄ線の拡大側面図であり、（Ｂ）は第２横指示体を９０度回転させた状態のＡ−Ｂ−Ｃ−Ｄ線の拡大側面図である。
【図７】同ゴルフ練習用具の回動部材の第１部材及び第２部材を示すもので、（Ａ）は底面から見た構造説明図、（Ｂ）は（Ａ）の中央縦断面に沿う構造説明図、（Ｃ）は（Ａ）の中央横断面に沿う構造説明図である。
【図８】（Ａ）は、図７（Ａ）の要部拡大図、（Ｂ）は図８（Ａ）の中央縦断面に沿う構造説明図である。
【図９】（Ａ）は同ゴルフ練習用具の回動部材の中部材の平面図、（Ｂ）は同回動部材の内部構造の説明図である。
【図１０】同ゴルフ練習用具の回動部材における第１部材及び第２部材の歯車部の説明図である。
【発明を実施するための形態】
【００１８】
以下、図面を参照しつつ、本発明の実施の形態に係るゴルフ練習用具を説明する。
【００１９】
この練習用具は、図１に示すように、縦指示体４、第１横指示体１、第２横指示体２、第３横指示体３の第３横指示体３つの棒状の指示体を備える。各指示体は、金属や合成樹脂製などの剛性のある細長の部材によって実施でき、それぞれは中空のパイプ状のものであってもよく、中実のものであってもよい。
【００２０】
縦指示体４は、前後方向に伸びるように縦方向に配置されるもので、その先端がボール指示部５となる。使用者は、ボール指示部５先端にボールｂを置いて、打撃する。
【００２１】
この縦指示体４に対して交わる方向に伸びるように配置されるのが、第１横指示体１、第２横指示体２、第３横指示体３である。第１横指示体１、第２横指示体２、第３横指示体３のそれぞれは、回動部材１０を介して、縦指示体４に回動可能に取り付けられる。この回動部材１０は、縦指示体４に対して、縦指示体４の軸方向に沿ってスライド可能であると共に、第１横指示体１、第２横指示体２、第３横指示体３のそれぞれに対しても、それらの軸方向に沿ってスライド可能である。
【００２２】
（打撃練習時の使用形態）
図１〜図３に示すように、縦指示体４、第１横指示体１、第２横指示体２、第３横指示体３は、上記のように、回動可能且つスライド可能であるため、細長く畳むこともできると共に、種々の打撃練習に応じて種々の形状に展開することができるが、まず、標準的なストレートの打撃練習時の使用形態を説明する。具体的には、クラブの種類や番手によって、ボールｂを左足Ｌ寄り又は右足Ｒ寄りに置く場合もあるが、まずは、体の中心（左足Ｌと右足Ｒとの真ん中）にボールｂを置いた状態で、真っ直ぐ前方にボールｂを打つ状態で説明する。
【００２３】
第１横指示体１は、打球を飛ばす飛球線の方向を示すものであり、縦指示体４の前端寄りに、縦指示体４と直交するように配置される。また、縦指示体４を中心に、第１横指示体１の左右が均等となるようにスライドさせておけばよい。設定の手順とすると、第１横指示体１を目標方向に合わせて置く。第１横指示体１と直交するように、縦指示体４を回動させ、その先端にボールｂを置くことになる。
【００２４】
第２横指示体２は、スタンスの左足Ｌと右足Ｒの縦方向の位置を示すものであり、縦指示体４の中程には、縦指示体４と直交するように配置される。ボールｂとの距離は、第２横指示体２を縦指示体４に対してスライドさせることによって調整できる。この第２横指示体２を基準にして、左足Ｌの爪先と右足Ｒの爪先とを、位置決めすることよって、両足はボールｂの飛球線の方向と平行に置くことができる。
【００２５】
第３横指示体３は、軸足（図示の場合には、右打ちの人を図示しているため左足Ｌ）の飛球方向位置を示すものである。軸足の位置は、ゴルフスイングにおいて重要視されており、例えばドライバーであればボールと同じ飛球方向位置（図の左右方向位置）に内側の踵側を置くことが望ましいとされたり、３番ウッドではボールから飛球方向位置において、ボール１個分離れた位置に置くのが望ましいとされたり、クラブの番手によって、その位置が変更される。よって、使用者は、縦指示体４に対する第３指示体３の左右方向の位置を調整し、その先端の軸足指示部６の飛球方向前方に軸足（図の場合左足Ｌ）を置いて、スタンスを決めればよい。なお、軸足（図の場合左足Ｌ）は、軸足指示部６の先端に当たるように置いてもよいし、僅かに間隔を隔てて置いてもよく、使用者の好みによって変更できる。
【００２６】
以上のように、飛球方向に対する両足の前後位置と、軸足の飛球方向位置とを確認することができ、正しいスタンスを決めることができる。スイングする際には、第１横指示体１を目安にスイングすることで、正確な方向に打ち出すスイングをすることができる。
【００２７】
縦指示体４、第１横指示体１、第２横指示体２の長さは、７０〜１００cm、第３横指示体３の長さは３０〜６０cm程度が適当であるが、これらの長さは使用者の体格などに応じて種々変更して実施することができる。
【００２８】
（ボールｂに対する両足の位置の変更）
ドライバーのスイングではボールｂを、右打ちであれば左足Ｌ側に置き、アプローチのスイングではボールｂを、右打ちであれば右足Ｒ寄りに置く。その際、縦指示体４に対しては、第１横指示体１、第２横指示体２、第３横指示体３のうち必要なものを左右にスライドさせればよい。なお、以下の説明では、右打ちを基準にして説明するが、左打ちの場合には、左右が逆になる。
【００２９】
（オープンスタンスの使用形態  図２）
オープンスタンスのスイングでは左足Ｌ（軸足）よりも右足Ｒを前に出して構える。その際、縦指示体４に対して第２横指示体２（必要に応じて第３横指示体３も）を回動させて、左側では第１横指示体１に対して第２横指示体２、第３横指示体３の距離が大きくなるように、右側では第１横指示体１に対して第２横指示体２、第３横指示体３の距離が小さくなるように、傾斜させればよい。
【００３０】
（クローズドスタンスの使用形態  図３）
クローズドスタンスのスイングでは左足Ｌ（軸足）よりも右足Ｒを後に引いて構える。その際、縦指示体４に対して第２横指示体２（必要に応じて第３横指示体３も）を回動させて、左側では第１横指示体１に対して第２横指示体２、第３横指示体３の距離が小さくなるように、右側では第１横指示体１に対して第２横指示体２、第３横指示体３の距離が大きくなるように、傾斜させればよい。
【００３１】
（目盛）
縦指示体４、第１横指示体１、第２横指示体２、第３横指示体３のそれぞれについて、目盛７を表示しておくことも望ましい。目盛７は、すべての指示体に設ける必要はなく、例えば、第３横指示体３だけに設けてもよく、第２横指示体２と第３横指示体３とに設けてよく、縦指示体４、第２横指示体２、第３横指示体３に設けてもよい。目盛７は、定規のようにmm単位としたり、cm単位でもよいが、ボールｂの１個分（４１．２６mm）や、或いはボール半個分ずつとすることによって、実際のゴルフ場での感覚を養うことができる。
【００３２】
（回動部材）
図４〜図６に示すように、回動部材１０は、互いに回動可能に組み合わされた第１回動部材１１と第２回動部材１２とを備える。第１回動部材１１と第２回動部材１２は同一形状をなしており、これらが上下対称に組み合わされている。この例では、回動部材１０の直径ａは、ボールｂの直径（４１．２６mm）と略等しく設定されている。これによって、ボールｂの１個分の大きさを常に認識して、実際のゴルフ場での感覚を向上させることができる。
【００３３】
図７、図９に示すように、第１回動部材１１と第２回動部材１２とは、それぞれ盤状部２１と、盤状部２１の中央直径上に設けられた挿通部２２とを備える。挿通部２２は、貫通穴を有しており、この貫通穴内に、縦指示体４、第１横指示体１、第２横指示体２、第３横指示体３がそれぞれスライド可能に挿通されている。より詳しくは、縦指示体４と第１横指示体１との間の回動部材１０には、第１回動部材１１の挿通部２２に縦指示体４を挿通し、第２回動部材１２の挿通部２２に第１横指示体１を挿通する。同様に、縦指示体４と第２横指示体２との間の回動部材１０には、第１回動部材１１の挿通部２２に縦指示体４を挿通し、第２回動部材１２の挿通部２２に第２横指示体２を挿通する。同様に、縦指示体４と第３横指示体３との間の回動部材１０には、第１回動部材１１の挿通部２２に縦指示体４を挿通し、第２回動部材１２の挿通部２２に第３横指示体３を挿通する。これによって、第１横指示体１、第２横指示体２、第３横指示体３は、それぞれ縦指示体４に対して、スライド可能であり、且つ、回動可能となり、上記の種々の形状を構成することができる。また、図６（Ｂ）に示すように、縦指示体４に対して、第１横指示体１、第２横指示体２、第３横指示体３を平行になるまで回動することで、４本の指示体をコンパクトに畳むことができる。
【００３４】
（付勢部）
前述のとおり、挿通部２２に対して、各指示体１〜４はスライド可能に挿通されている。この挿通は、人の手でスライド出来る程度に遊貫していればよいが、公差の関係上、遊貫の程度が製品毎に異なるおそれがある。そのため、図８に示すように、挿通部２２の貫通穴内に出没可能な付勢部２４を設けることも好ましい。この付勢部２４は、盤状部２１の中央に形成された穴内に設けられたもので、挿通部２２内に出没する当接部３１と、当接部３１から伸びる２本の弾性部３２とを備え、弾性部３２の端部は盤状部２１に繋がっている。当接部３１は、挿通部２２の貫通穴の軸方向には両端から傾斜して中央が最も突出することによって、各指示体１〜４がスムーズに挿入できるようにしている。他方、挿通部２２の貫通穴の横断方向には、各指示体１〜４の外形と略等しい弧状となっていることで、各指示体１〜４と面状に接触する。この例では、弾性部３２は湾曲して形成されることで、適度な弾性を付与できるような長さを保有しているが、これらの長さや形状は適宜変更して実施することができる。また、付勢部２４は別体のバネ部材や軟質合成樹脂など、他の付勢手段に変更して実施することもでき、省略することもできる。
【００３５】
（クリック構造）
さらに、上記の第１回動部材１１と第２回動部材１２との回動について、一定角度毎に、回動抵抗を付与するクリック構造を備えたものとして実施することもできる。例えば、５度毎に抵抗を付与することで、使用者は、角度調整を５度毎に正確に行うこともできる。また、図示は省略するが、第１回動部材１１と第２回動部材１２との少なくとも何れか一方の盤状部２１に角度の目盛を付しておくことで、縦指示体４に対して、第１横指示体１、第２横指示体２、第３横指示体３が何度回動しているかを表示することができる。
【００３６】
（回動部材の内部構造）
以下、回動部材１０の内部構造の一例を図７〜図１０に示すが、本発明はこれに限定されず、上記の動きを実現する種々の構造に変更して実施することができる。
第１回動部材１１と第２回動部材１２とは同一形状をなしており、１種類の金型で第１回動部材１１、第２回動部材１２を成型することができる。第１回動部材１１と第２回動部材１２との間には中部材１４が配置されており、中部材１４によって、第１回動部材１１と第２回動部材１２とが回動可能に接続されている。
【００３７】
（第１回動部材及び第２回動部材）
まず、第１回動部材１１及び第２回動部材１２の構造を説明する。第１回動部材１１及び第２回動部材１２は、筒状部２３と、筒状部２３の上面又は下面を閉じる盤状部２１と、盤状部２１の上面又は下面に設けられた挿通部２２とを備え、挿通部２２には前述のように各指示体１〜４が挿通される。筒状部２３の内周面には、歯車部２５が形成されている。歯車部２５は、第１歯車部２６と第２歯車部２７とを備える。第１歯車部２６は略１８０°度の範囲に渡って、１０度毎に内周側から外周側へ凹んだ谷部が形成され、谷部と谷部との間が山部となっている（具体的には図１０に示すように、右０度の表示から上下に９０度の表示をした範囲に谷部が形成されている）。第２歯車部２７は略１５０°度の範囲に渡って、１０度毎に谷部が形成されている（具体的には図１０に示すように、左０度の表示から上下に７５度の表示をした範囲に形成されている）。そして、第１歯車部２６と第２歯車部２７との谷部と山部は、５度ずつ（半ピッチ）ずらして形成されている。これによって、回動部材１０全体としては、５度毎にクリックの抵抗を付与できる。なお、この構造と作用については、中部材１４についての説明で、再度詳細に説明する。
【００３８】
盤状部２１には、その中央の内部に、回動部２８が環状に形成されていると共に、回動部２８と筒状部２３との間には案内固定部３０が形成されている。この例では、案内固定部３０は軸方向（上下方向）に突出するピンとして実施されている。回動部２８の先端寄りには突起２９が形成されている。
【００３９】
（中部材）
中部材１４は、図９に示すように、全体が円盤状をなしており、その中央の上下それぞれには、軸部４１が突設されている。この軸部４１は前述の回動部２８と回動可能に嵌合する。そして、回動部２８に設けられた突起２９に対応する溝状の凹部４２が設けられ、両者を摺動可能に嵌合することで、第１回動部材１１及び第２回動部材１２と、中部材１４とが、軸方向に外れないようにしている。なお、図の例では、軸部４１を回動部２８の内側に挿入しているが、逆に、回動部２８を軸部４１の内側に挿入するものであってもよい。
【００４０】
前述の案内固定部３０と対応する位置（同径位置）には、固定部４３と案内部４４とが形成されている。固定部４３は、案内固定部３０と回動不能に結合する有底の穴（若しくは貫通した穴）として実施されており、第１回動部材１１と第２回動部材１２との何れか一方と中部材１４とを回動不能に固定する。この例では、第１回動部材１１と第２回動部材１２とは、全く同一の形状をなしているため、何れを第１回動部材１１、第２回動部材１２とするかについては、大きな意味を持たないが、第１回動部材１１に中部材１４が回動不能となっているとして、以下説明する。
具体的には、第１回動部材１１の案内固定部３０が、中部材１４の固定部４３に挿入されているとして、説明する。
【００４１】
他方、中部材１４の案内部４４は、案内固定部３０を回動可能に案内する有底の溝（若しくは貫通した溝）として実施されており、第１回動部材１１と第２回動部材１２との何れか他方と中部材１４とを、軸部４１を中心として回動できるように案内する（この例では、第２回動部材１２が回動可能となっているとして説明する）。より詳しくは、案内部４４は軸部４１を中心として形成された弧状の溝として実施されており、第２回動部材１２の案内固定部３０を、摺動可能に受容する。これによって、第２回動部材１２と中部材１４とは、案内部４４の弧状の範囲内で回動可能となる。この例では、約１８０度としているが、これ以上であってもよい。
【００４２】
このように、中部材１４は、第１回動部材１１と第２回動部材１２との何れか一方に対して回動不能に一体化され、いずれか他方に対して一定範囲内で回動可能となっているため、第１回動部材１１と第２回動部材１２とは、中部材１４を介して、一定範囲内で回動可能に接合されることになる。
【００４３】
次に、前述の歯車部２５と係脱可能に係合する爪部４５について説明する。爪部４５は、第１歯車部２６に係合する第１爪部４６と、第２歯車部２７に係合する第２爪部４７とを備える。両者は、軸部４１を挟んで反対側（直径線上）に設けらており、第１歯車部２６の何部に第１爪部４６が係合している時には、第２歯車部２７の谷部には第２爪部４７が係合せずに山部に位置している状態となる。これらの爪部４５は、半径方向に弾性変形する腕部４８の先端に径外方にけて突出するように形成されていることで、歯車部２５の凹凸と係脱可能となっている。このように、第１歯車部２６と第２歯車部２７とが半ピッチずらして形成されており、第１爪部４６と第２爪部４７とが交互に歯車部の谷部に係合することで、５度毎にクリックの抵抗を付与できる。
【００４４】
なお、前述の第１歯車部２６と第２歯車部２７とをずらすことなく連続して１ピッチずつ凹凸を形成した場合でも、第１爪部４６と第２爪部４７とを半ピッチ（この例では５度）ずらして形成することで、同じ作用を発揮できる。また、第１爪部４６と第２爪部４７とを半ピッチずらす場合、第１歯車部２６と第２歯車部２７とを区別して設ける必要はなく、両爪部４６、４７が同じ歯車部に対して、係脱するようにすることもできる。
【００４５】
なお、第１歯車部２６と第２歯車部２７とは円周方向に２分割して形成したが、第１歯車部２６と第２歯車部２７とを軸方向にずらして形成するようにしてもよい。この場合３６０度の回動も可能となる利点があるが、軸方向の厚みが大きくなるという欠点もある。また、この例では、第１歯車部２６と第２歯車部２７との２つの歯車部２５としたが、第３、第４と形成して、それぞれをずらせて形成することで、さらに細かい角度で回転抵抗を与えることができる。
【００４６】
本発明においては、上述の回動部材１０による接続構造を、ゴルフ練習用具の指示体の接続構造に用いたが、この構造は、種々の分野のものに適用することができる。例えば、二つの回転体の、大きさなどに制限がある状況下で、小さな角度毎にクリックの抵抗を付与させる必要がある場合に、その用途を問わずに用いることができる。特に、耐久性のある谷山の形状や大きさを維持するためには、谷山の間隔を小さくするにも限界があるため、このような条件下で小さな角度毎にクリックの抵抗を付与させることができる点で、種々の分野に応用が可能である。
【００４７】
また、上記の例では、双方向に回転できるように、歯車の谷山の形状を対称なものとしていたが、谷の斜面の正転側を緩くし逆転側を急峻とするなどして、一方向の回転のみを許し、逆方向の回転を許さないラチェット構造として実施することもできる。
【符号の説明】
【００４８】
ｂ    ボール
Ｌ    左足
Ｒ    右足
１    第１横指示体
２    第２横指示体
３    第３横指示体
４    縦指示体
５    ボール指示部
６    軸足指示部
７    目盛
１０  回動部材
１１  第１回動部材
１２  第２回動部材
１４  中部材
２１  盤状部
２２  挿通部
２３  筒状部
２４  付勢部
２５  歯車部
２６  第１歯車部
２７  第２歯車部
２８  回動部
２９  突起
３０  案内固定部
３１  当接部
３２  弾性部
４１  軸部
４２  凹部
４３  固定部
４４  案内部
４５  爪部
４６  第１爪部
４７  第２爪部
４８  腕部
【図１】
2013248095.tif 000003
【図２】
2013248095.tif 000004
【図３】
2013248095.tif 000005
【図４】
2013248095.tif 000006
【図５】
2013248095.tif 000007
【図６】
2013248095.tif 000008
【図８】
2013248095.tif 000009
【図７】
2013248095.tif 000010
【図９】
2013248095.tif 000011
【図１０】
2013248095.tif 000012
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
前後方向に伸びるように縦方向に配置される縦指示体と、前記縦方向と交わる方向に伸びるように配置される第１横指示体、第２横指示体及び第３横指示体とを備え、
前記第１横指示体、前記第２横指示体及び前記第３横指示体のそれぞれは、前記縦指示体に対して、回動可能に取り付けられ、且つ、前記第１横指示体、前記第２横指示体及び前記第３横指示体のそれぞれは、互いに縦方向に間隔を置いて配置され、
前記第３横指示体３の長さが前記第１横指示体１の長さ及び前記第２横指示体２の長さよりも短く、
前記第１横指示体は、打球を飛ばす飛球線の方向を示すものであり、
前記第２横指示体は、両足の前記縦方向の位置を示すものであり、
前記第３横指示体は、軸足の前記縦指示体からの横方向位置を示すものであり、
前記縦指示体の前にゴルフボールを置き、前記縦指示体を挟んで、両足の爪先側を前記第２横指示体の後ろに置くと共に、軸足の横側を前記第３横指示体の飛球方向の先端に合わせて置くことによって、打球を飛ばす飛球線の方向を確認しつつ、両足の前後位置と、軸足のゴルフボールからの飛球方向の距離を確認して、スタンスを決めることができるようにしたことを特徴とするゴルフ練習用具。
【請求項２】
前記第１横指示体、前記第２横指示体及び前記第３横指示体のそれぞれは、回動部材を介して、前記縦指示体に対して、回動可能に取り付けられ、
前記第１横指示体、前記第２横指示体及び前記第３横指示体のそれぞれは、前記回動部材に対して、スライド可能であり、且つ、前記縦指示体は、前記回動部材に対して、スライド可能であることを特徴とする請求項１記載のゴルフ練習用具。
【請求項３】
前記回動部材は、互いに回動可能に組み合わされた第１部材と第２部材とを備え、
前記第１横指示体、前記第２横指示体及び前記第３横指示体のそれぞれは、前記第１部材に対して、スライド可能であり、且つ、前記縦指示体は、前記第２部材に対して、スライド可能であることを特徴とする請求項２記載のゴルフ練習用具。
【請求項４】
前記回動部材は、前記第１部材と前記第２部材との回動について、一定角度毎に、回動抵抗を付与するクリック構造を備えたものであることを特徴とする請求項３記載のゴルフ練習用具。
【請求項５】
前記回動部材は、円周状に多数の山谷の歯が一定角度毎に設けられた歯車部と、前記歯と係合する爪部とを備え、
歯車部は、前記第１部材と、一体に形成されるか、若しくは、別体であっても共に回動するものであり、
前記爪部は、前記第２部材と、一体に形成されるか、若しくは、別体であっても共に回動するものであり、
前記歯車部と前記爪部との少なくとも何れか一方が弾性変形することにより、一定角度毎に、回動抵抗を発生しながら、前記第１部材と前記第２部材とが回動するものであり、
前記爪部は、第１爪部と第２爪部との少なくとも２つの爪部を備え、
前記第１爪部が前記歯の谷に位置するときに前記第２爪部が前記歯の山に位置するように、前記第１爪部と第２爪部が前記歯と係合するときの回動角度を変位させることによって、前記歯の谷と谷との間隔よりも小さな間隔で前記抵抗を発生させるようにしたことを特徴とする請求項４記載のゴルフ練習用具。
【請求項６】
前記歯車部は、前記第１爪部と係合する第１歯車部と、前記第２爪部と係合する第２歯車部との少なくとも２つの歯車部を備え、
前記第１爪部が前記第１歯車部の前記歯の谷に位置するときに前記第２爪部が前記第２歯車部の前記歯の山に位置するように、前記少なくとも２つの歯車部の周方向の位置を変位させたことを特徴とする請求項５記載のゴルフ練習用具。
【請求項７】
前記第１部材と前記第２部材との間に中部材を備え、
前記第１部材と前記第２部材とは互いに同一形状の部材であって、前記中部材を介して、接続されており、
前記第１部材と前記第２部材は、前記歯車部を、内歯車状に形成したものであり、
前記中部材は、前記第１部材に回動不能に接続され、前記第２部材に回動可能に接続され、前記中部材に前記第２部材の前記歯車部のみに係合する前記爪部が形成されたものであることを特徴とする請求項６記載のゴルフ練習用具。
【手続補正２】
【補正対象書類名】明細書
【補正対象項目名】０００７
【補正方法】変更
【補正の内容】
【０００７】
【特許文献１】特開平１０−９４６２９号公報
【特許文献２】特開昭５８−１１６３７３号公報
【特許文献３】実開平５−４８９７８号公報
【特許文献４】実開平１−８４６７８号公報
【特許文献５】実開平１−１２６２７５号公報
【特許文献６】特開平７−１００２３７号公報
【特許文献７】実開平３−７０１７８号公報
【特許文献８】特開平８−７１１９３号公報
【特許文献９】特公昭６１−３４８３５号公報
【特許文献１０】特公昭６１−４０４３０号公報
【手続補正３】
【補正対象書類名】明細書
【補正対象項目名】００２５
【補正方法】変更
【補正の内容】
【００２５】
第３横指示体３は、軸足（図示の場合には、右打ちの人を図示しているため左足Ｌ）の飛球方向位置を示すものである。軸足の位置は、ゴルフスイングにおいて重要視されており、例えばドライバーであればボールと同じ飛球方向位置（図の左右方向位置）に内側の踵側を置くことが望ましいとされたり、３番ウッドではボールから飛球方向位置において、ボール１個分離れた位置に置くのが望ましいとされたり、クラブの番手によって、その位置が変更される。よって、使用者は、縦指示体４に対する第３指示体３の左右方向の位置を調整し、その先端の軸足指示部６の飛球方向前方に軸足（図の場合左足Ｌ）を置いて、スタンスを決めればよい。より正確には、図２、図３に示すように、軸足の横側を第３横指示体３の飛球方向の先端に合わせて置くようにする。なお、軸足（図の場合左足Ｌ）は、軸足指示部６の先端に当たるように置いてもよいし、僅かに間隔を隔てて置いてもよく、使用者の好みによって変更できる。
【手続補正４】
【補正対象書類名】図面
【補正対象項目名】図１
【補正方法】変更
【補正の内容】
【図１】
2013248095.tif 000013